(57)【要約】 【課題】  包装構造体のこすれ、及び段ボール箱のこすれを低減する。【解決手段】  実施形態にかかるパッケージは、基材、及びマット印刷層を含み、吸収性物品を包装した場合に互いに対抗して配置される第１外表面と第２外表面とを有し、第１外表面には、マット印刷層が設けられた第１領域とマット印刷層が設けられない第２領域とが割り当てられ、第２外表面には、第１領域に対向する位置にマット印刷層が設けられない第３領域が割り当てられ、第２領域に対向する位置にマット印刷層が設けられた第４領域とが割り当てられている。【選択図】図１
2020196484.tif 000002
【特許請求の範囲】
【請求項１】
吸収性物品を包装するパッケージであって、
基材、及び前記基材上に設けられたマット印刷層を含み、
前記吸収性物品を包装した場合に互いに対抗して配置される第１外表面と第２外表面とを有し、
前記第１外表面には、前記マット印刷層が設けられた第１領域と、前記マット印刷層が設けられない第２領域とが割り当てられ、
前記第２外表面には、前記第１領域に対向する位置に、前記マット印刷層が設けられない第３領域が割り当てられ、前記第２領域に対向する位置に、前記マット印刷層が設けられた第４領域とが割り当てられているパッケージ。
【請求項２】
吸収性物品、及び前記吸収性物品を包装する第１パッケージを含む第１包装構造体と、
前記第１包装構造体の第１外表面と対向して接触する第２外表面を有し、前記吸収性物品、及び前記吸収性物品を包装する第２パッケージを含む第２包装構造体とを収容する段ボール箱であって、
前記第１及び第２パッケージは、基材、及び前記基材上に設けられたマット印刷層をそれぞれ含み、
前記第１外表面には、前記マット印刷層が設けられた第１領域と、前記マット印刷層が設けられない第２領域とが割り当てられ、
前記第２外表面には、前記第１領域に対向する位置に、前記マット印刷層が設けられない第３領域が割り当てられ、前記第２領域に対向する位置に、前記マット印刷層が設けられた第４領域が割り当てられている段ボール箱。
【請求項３】
吸収性物品、及び前記吸収性物品を包装するパッケージを含む包装構造体を収容する段ボール箱であって、
底部と、前記底部から起立した第１側面部、及び前記底部から起立し、かつ第１側面部と対向する第２側面部を有する箱本体と、蓋部とを備え、
前記第１側面部及び前記第２側面部は、外表面にマット印刷層を含み、
前記第１側面部の第１外表面には、前記マット印刷層が設けられた第１領域と、前記マット印刷層が設けられない第２領域とが割り当てられ、
前記第２側面部の第２外表面には、前記第１領域と面対称となる位置に、前記マット印刷層が設けられない第３領域が割り当てられ、前記第２領域と面対称となる位置に、前記マット印刷層が設けられた第４領域が割り当てられている段ボール箱。
【請求項４】
吸収性物品、及び前記吸収性物品を包装するパッケージを含む包装構造体を収容する段ボール箱であって、
底部と、前記底部から起立した第１側面部、及び前記底部から起立し、かつ第１側面部と対向する第２側面部を有する箱本体と、前記底部に対向して設けられる蓋部とを備え、
前記底部及び前記蓋部は、外表面にマット印刷層を含み、
前記底部の外表面は、前記マット印刷層が設けられた第１領域と、前記マット印刷層が設けられない第２領域を割り当てた部分が設けられ、
前記蓋部の外表面は、前記第１領域と面対称となる位置に前記マット印刷層が設けられた第３領域が割り当てられ、前記第２領域と面対称となる位置に前記マット印刷層が設けられない第４領域が割り当てられている段ボール箱。
【発明の詳細な説明】
【技術分野】
【０００１】
本発明は、パッケージ、及び段ボール箱に関する。
【背景技術】
【０００２】
従来より、吸収性物品が収容され、外面が印刷されたパッケージを備える包装構造体が開示されている。  
包装構造体は、段ボール箱に収容される。  
段ボール箱の積載や搬送の際に隣接する包装構造体の外表面において、こすれが原因で印刷が剥がれるという課題がある。  
更に、段ボール箱も積層された状態で輸送されるため、同様の課題がある。
【先行技術文献】
【特許文献】
【０００３】
【特許文献１】特開２０１１−１１１１６５号公報
【発明の概要】
【発明が解決しようとする課題】
【０００４】
本発明は、段ボール箱内の隣接する包装構造体のこすれ、及び隣接する段ボール箱のこすれを低減する。
【課題を解決するための手段】
【０００５】
本発明の第１実施形態にかかるパッケージは、吸収性物品を包装するパッケージであって、  
基材、及び前記基材上に設けられたマット印刷層を含み、  
前記吸収性物品を包装した場合に互いに対抗して配置される第１外表面と第２外表面とを有し、  
前記第１外表面には、前記マット印刷層が設けられた第１領域と、前記マット印刷層が設けられない第２領域とが割り当てられ、  
前記第２外表面には、前記第１領域に対向する位置に、前記マット印刷層が設けられない第３領域が割り当てられ、前記第２領域に対向する位置に、前記マット印刷層が設けられた第４領域とが割り当てられている。
【０００６】
本発明の第２実施形態にかかる段ボール箱は、吸収性物品、及び前記吸収性物品を包装する第１パッケージを含む第１包装構造体と、  
前記第１包装構造体の第１外表面と対向して接触する第２外表面を有し、前記吸収性物品、及び前記吸収性物品を包装する第２パッケージを含む第２包装構造体とを収容する段ボール箱であって、  
前記第１及び第２パッケージは、基材、及び前記基材上に設けられたマット印刷層をそれぞれ含み、  
前記第１外表面は、前記マット印刷層が設けられた第１領域と、前記マット印刷層が設けられない第２領域とが割り当てられ、  
第２外表面には、前記第１領域に対向する位置に、前記マット印刷層が設けられない第３領域が割り当てられ、前記第２領域に対向する位置に、前記マット印刷層が設けられた第４領域が割り当てられている。
【０００７】
本発明の第３実施形態にかかる段ボール箱は、吸収性物品、及び前記吸収性物品を包装するパッケージを含む包装構造体を収容する段ボール箱であって、  
底部と、前記底部から起立した第１側面部、及び前記底部から起立し、かつ第１側面部と対向する第２側面部を有する箱本体と、蓋部とを備え、  
前記第１側面部及び前記第２側面部は、外表面にマット印刷層を含み、  
前記第１側面部の第１外表面には、前記マット印刷層が設けられた第１領域と、前記マット印刷層が設けられない第２領域とが割り当てられ、  
前記第２側面部の第２外表面には、前記第１領域と面対称となる位置に、前記マット印刷層が設けられない第３領域が割り当てられ、前記第２領域と面対称となる位置に、前記マット印刷層が設けられた第４領域が割り当てられている。
【０００８】
本発明の第４実施形態にかかる段ボール箱は、吸収性物品、及び前記吸収性物品を包装するパッケージを含む包装構造体を収容する段ボール箱であって、  
底部と、前記底部から起立した第１側面部、及び前記底部から起立し、かつ第１側面部と対向する第２側面部を有する箱本体と、前記底部に対向して設けられる蓋部とを備え、  
前記底部及び前記蓋部は、外表面にマット印刷層を含み、  
前記底部の外表面は、前記マット印刷層が設けられた第１領域と、前記マット印刷層が設けられない第２領域を割り当てた部分が設けられ  、
前記蓋部の外表面は、前記第１領域と面対称となる位置に前記マット印刷層が設けられた第３領域が割り当てられ、前記第２領域と面対称となる位置に前記マット印刷層が設けられない第４領域が割り当てられている。
【発明の効果】
【０００９】
本発明によれば、段ボール箱内の隣接する包装構造体のこすれ、及び隣接する段ボール箱のこすれを低減する効果を奏する。
【図面の簡単な説明】
【００１０】
【図１】第１実施形態にかかるパッケージの斜視図である。
【図２】第１実施形態にかかるパッケージの一部の断面図である。
【図３】図１を１８０°回転した図である。
【図４】第２実施形態にかかる段ボール箱の構成を表す図である。
【図５】第２実施形態にかかる段ボール箱の構成の変形例を表す図である。
【図６】隣接するパッケージの外表面を表す模式図である。
【図７】隣接するパッケージの外表面を表す模式図である。
【図８】図２の変形例を表す図である。
【図９】第３実施形態にかかる段ボール箱の構成を表す斜視図である。
【図１０】図９を１８０°回転した図である。
【図１１】第３実施形態にかかる段ボール箱を積載した様子を表す図である。
【図１２】隣接する段ボール箱の外表面を表す模式図である。
【図１３】第４実施形態にかかる段ボール箱の構成を表す斜視図である。
【図１４】図１３を１８０°回転した図である。
【図１５】隣接する段ボール箱の外表面を表す模式図である。
【発明を実施するための形態】
【００１１】
以下、実施形態について、図面を参照して説明する。  
本発明の第１実施形態にかかるパッケージ１０−１の構成について図１ないし図３を参照しながら説明する。  
図１は、本実施形態にかかるパッケージ１０−１の斜視図である。図２は、パッケージ１０−１のマット印刷層がある部分の断面図である。図３は、図１を矢印８１に従ってｂからａの方向に１８０°回転した図である。  
パッケージ１０−１には、図１に示すように、複数のおむつ１００（吸収性物品）が包装されている。パッケージ１０−１によって包装された吸収性物品は、おむつ１００を想定しているが、ナプキン等としてもよい。また、５００−１は、パッケージ１０−１と、パッケージ１０−１に包装された吸収性物品１００とを含む包装構造体である。以下、簡略のため、パッケージと、パッケージ内に吸収性物品が包装された包装構造体についても、パッケージとして説明を行う。
【００１２】
パッケージ１０−１のマット印刷層がある部分の一例は、図２に示すように、基材１１−１を基準とした場合、内側から外側に向かって基材１１−１、印刷層１２及び第１マット印刷層１３（被覆層）の順で積層されている。又、パッケージ１０−１は、図２に示すように、基材１１−１よりも内側に第２マット印刷層１４（被覆層）が積層されている。パッケージ１０−１を構成する基材１１−１、印刷層１２、第１マット印刷層１３及び第２マット印刷層１４について説明する。
【００１３】
基材１１−１は、袋状に形成され、おむつ１００を包装する層である。基材１１−１は、複数のおむつ１００を収納する。基材１１−１は、例えば、ポリアミド、ポリエステル、ポリブチレンテレフタレート又はポリエチレンテレフタレート等からなる。  
印刷層１２は、基材１１−１の外表面側に任意に設けられ、おむつ１００に関する情報がインクによって印刷された層である。情報は、例えば、パッケージ１０−１に包装されているおむつ１００のサイズや枚数である。印刷層１２は、例えば、カーボンブラック、ジアミン、ポリオール、硬化剤及び有機溶媒等を含有してなるインク組成物が、グラビア印刷法等によって、基材１１−１の外表面側に塗布されて形成されている。有機溶媒は、例えば、トルエン等からなり、印刷後に揮発する。硬化剤は、例えば、イソシアネート等からなる。
【００１４】
第１マット印刷層１３は、基材１１−１の外表面側に設けられ、マット印刷によって凹凸が形成された層である。第１マット印刷層１３は、印刷層１２を保護するように設けることができる。あるいは、印刷層１２を避けるように開口した図示しない開口部を備えることができる。第１マット印刷層１３は、樹脂１３ｍに粒状のマット剤１３ｎが含有されて構成されている。樹脂１３ｍは、例えば、アクリル系樹脂、エポキシ系樹脂、ウレタン系樹脂、ポリオレフィン系樹脂、フッ素系樹脂又はフェノキシ系樹脂等からなる。マット剤１３ｎは、例えば、シリカ、アルミナ、酸化カルシウム、炭酸カルシウム、硫酸カルシウム、ケイ酸カルシウム又はカーボンブラック等からなる。
【００１５】
第２マット印刷層１４は、基材１１−１の内表面側に設けられ、マット印刷によって凹凸が形成された層である。第２マット印刷層１４の構成は、基材１１−１の外表面側に設けられた第１マット印刷層１３−１の構成と同様である。  
第１マット印刷層１３の一例として、図１及び図３に示すパッケージ１０−１には、第１マット印刷層１３−１、１３−２、１３−３、及び１３−３が設けられている。
【００１６】
図１に示すように、第１マット印刷層１３−１は、基材１１−１の第１外表面１０１の正面１０１−１の上方に割り当てられた第３領域３３−１に設けられ、マット印刷によって凹凸が形成された層である。第３領域３３−１の下方に割り当てられた第４領域３３ｂ−１には第１マット印刷層は設けられない。第１マット印刷層１３−３は、マット印刷により、基材１１−１の第１外表面１０１の正面１０１−１に対し右側面１０１−２の下方に割り当てられた第６領域３３ｂ−３に設けられている。第６領域３３ｂ−３の上方に割り当てられた第５領域３３−３には第１マット印刷層は設けられない。
【００１７】
図３に示すように、第１マット印刷層１３−２は、マット印刷によって基材１１−１の第１外表面１０１の背面１０１−２の下方に割り当てられた第２領域３３ｂ−２に設けられている。第２領域３３ｂ−２の上方に割り当てられた第１領域３３−２には第１マット印刷層は設けられない。第１マット印刷層１３−４は、マット印刷により、基材１１−１の第１外表面１０１の正面１０１−１に対し左側面１０１−４の上方に割り当てられた第７領域３３−４に設けられている。第７領域３３−４の下方に割り当てられた第８領域３３ｂ−４には第１マット印刷層は設けられない。
【００１８】
本発明の第２実施形態にかかる段ボール箱の構成について図４及び図５を参照しながら説明する。  
図４に示すように、この段ボール箱９０は、底部９１と、底部９１から起立した一対の対向する第１側面部９２，９３と、底部９１から起立し、かつ一対の第１側面部９２，９３の間に設けられた一対の対向する第２側面部９４，９５とを有する箱本体９６、及び、第１側面部９２，９３から突出して天面を構成する一対の外蓋部９７，９９，第２側面部９４，９５から突出して天面の内側に配置される一対の内蓋部９８，１００を備えている。箱本体９６内には複数の吸収性物品を収容したパッケージ１０−１（第１包装構造体）と、各々パッケージ１０−１と同様の構成を有するパッケージ１０−２（第２包装構造体）と，パッケージ１０−３（第３包装構造体）と，パッケージ１０−４（第４包装構造体）とが、例えば２つずつ２列に並べた配列で収容されている。
【００１９】
図５は、第２実施形態にかかる段ボール箱の変形例の１つを示す。パッケージ１０−１，１０−２，１０−３，１０−４の配列は図４に限定するものではなく、例えば図５に示すように、段ボール箱９０’内に一列に並べた配列にすることができる。  
図４及び図５に示すように、例えば、第１パッケージ１０−１の背面には、第２パッケージ１０−２の正面が隣接して段ボール箱９０，９０’に収容される。
【００２０】
図６及び図７に、第２実施形態にかかる段ボール箱９０内の隣接するパッケージの外表面を表す模式図を示す。  
第１パッケージ１０−１の第１外表面の背面１０１−３と第２パッケージ１０−２の第２外表面の正面２１１−１とが対向配置されている場合を図６に示す。  
第１パッケージ１０−１は、基材１１−１、及び基材１１−１に設けられたマット印刷層１３−２を含む。第２パッケージ１０−２は、基材１１−２、及び基材１１−２上に設けられたマット印刷層１３−１を含む。第１外表面の背面１０１−３には、マット印刷層１３−２が設けられない第１領域３３−２と、マット印刷層１３−２が設けられた第２領域３３ｂ−２が割り当てられている。また、第２外表面の正面２１１−１には、第１領域３３−２に対向する位置に、マット印刷層１３−１が設けられた第３領域３３−１が割り当てられ、第２領域３３ｂ−２に対向する位置に、マット印刷層１３−１が設けられない第４領域３３ｂ−１が割り当てられている。
【００２１】
また、例えば第１パッケージ１０−１の右側面１０１−２と、第３パッケージ１０−３の左側面３１１−４が対向配置されている場合を図７に示す。第３パッケージ１０−３は、第１パッケージ１０−１と同様に図示しない基材、及び基材上に設けられたマット印刷層を含む。  
図７に示すように、ここでは、右側面１０１−２の第１マット印刷層が設けられない第５領域３３−３と対向する位置には、左側面３１１−４の第１マット印刷層１３−４が設けられた第７領域３３−４が割り当てられ、右側面１０１−２の第１マット印刷層１３−３が設けられた第６領域３３ｂ−３と対向する位置には、左側面３１１−４の第１マット印刷層が設けられない第８領域３３ｂ−４が割り当てられることになる。
【００２２】
第２実施形態にかかる段ボール箱９０によれば、隣接するパッケージにおいて、マット印刷層が設けられた領域にはマット印刷層が設けられない領域が対向する構成になっている。これにより、隣接するパッケージにおいて、マット印刷層同志が重ならない配置になり、マット印刷層同志のこすれが低減する。このようなことから、マット印刷層の剥がれ、及びマット印刷層と共に印刷層が剥がれてしまうこと等を低減できる。
【００２３】
図８は、図２に示すパッケージの変形例の断面図である。  
パッケージ２０の構成において、前述したパッケージ１０−１等と同様の構成は、同一の符号を付して説明を省略する。図８に示すパッケージ２０は、図２に示すパッケージ１０−１から第２マット印刷層１４を除いた構成に相当する。このように、第２マット印刷層１４は、必須の構成ではない。
【００２４】
図９に、本発明の第３実施形態にかかる段ボール箱の構成を表す斜視図を示す。また、図１０に、図９を矢印８２に従ってｄからｃの方向に１８０°回転した図を示す。  
第３実施形態にかかる段ボール箱５０−１は、段ボール箱９６の代わりに、ダンボール箱７１−１を用いること以外は、図４または図５と同様の構成を有する。また、パッケージ１０−１、１０−２、１０−３、及び１０−４の代わりに、第１実施形態にかかるパッケージとは異なるパッケージを使用することが可能であり、例えばマット印刷層を含まない他のパッケージを使用することもできる。
【００２５】
ダンボール箱７１−１には、図９及び図１０に示すように、マット印刷層５１−１、５１−２、５１−３、及び５１−４を設けることができる。  
図９に示すように、マット印刷層５１−１は、ダンボール箱７１−１の外表面の正面３０１−１の上方に割り当てられた第３領域６１−１に設けられている。第３領域６１−１の下方に割り当てられた第４領域６１ｂ−１にはマット印刷層は設けられない。正面３０１−１に対し右側面３０１−２の下方に割り当てられた第６の領域６１ｂ−３には、マット印刷層５１−３が設けられている。第６の領域６１ｂ−３の上方に割り当てられた第５の領域６１−３にはマット印刷層５１−３は設けられない。
【００２６】
図１０において、３０１−３は図９の正面３０１−１に対し背面である。また、３０１−４は、正面３０１−１に対し左側面に相当する。マット印刷層５１−２は、背面３０１−３の下方に割り当てられた第２領域６１ｂ−２に設けられている。第２領域６１ｂ−２は、第４領域６１ｂ−１と面対称の位置にある。第２領域６１ｂ−２の上方に割り当てられた第１領域６１−２にはマット印刷層５１−２は設けられない。第１領域６１−２は第３領域６１−１と面対称の位置にある。マット印刷層５１−４は、左側面３０１−４の上方に割り当てられた第７領域６１−４に設けられている。第７領域６１−４は第５の領域６１−３と面対称の位置にある。第７領域６１−４の下方に割り当てられた第８領域６１ｂ−４にはマット印刷層５１−４は設けられない。第８領域６１ｂ−４は第６の領域６１ｂ−３と面対称の位置にある。
【００２７】
図１１に、第３実施形態にかかる段ボール箱を積載した様子を表す図を示す。  
ここでは、段ボール箱５０−１、段ボール箱５０−１と同様の構造を有する、段ボール箱５０−２、段ボール箱５０−３、段ボール箱５０−４、段ボール箱５０−５、及び段ボール箱５０−６など１８個をパレット８０上に２つずつ３列に並べ、３段重ねて積載している。段ボール箱５０−１と、段ボール箱５０−２との間では、例えば、段ボール箱５０−１の背面３０１−３と、段ボール箱５０−２の正面３０１−１が隣接することになる。また、段ボール箱５０−１と、段ボール箱５０−３との間では、例えば、段ボール箱５０−１の左側面３０１−４と、段ボール箱５０−３の右側面３０１−２が隣接することになる。
【００２８】
図１２に、図１１において隣接する段ボール箱の外表面を表す模式図を示す。  
図１２に示すように、積載された段ボール箱において、段ボール箱５０−１の外表面の背面３０１−３と、段ボール５０−２の外表面の正面４０１−１とが対向配置されているところでは、マット印刷層同志が重ならない配置になっている。  
図示するように、段ボール箱５０−１は、段ボール基材７１−１、及び段ボール基材７１−１上に設けられたマット印刷層５１−２を含む。段ボール箱５０−２は、段ボール基材７１−２、及び段ボール基材７１−２上に設けられたマット印刷層５１−１を含む。
【００２９】
段ボール箱５０−１の外表面の背面３０１−３には、マット印刷層が設けられない第１領域６１−２と、マット印刷層５１−２が設けられた第２領域６１ｂ−２が割り当てられている。また、段ボール５０−２の正面４０１−１には、第１領域６１−２に対向する位置に、マット印刷層５１−１が設けられた第３領域６１−１が割り当てられ、第２領域６１ｂ−２に対向する位置に、マット印刷層が設けられない第４領域６１ｂ−１が割り当てられている。
【００３０】
また、図１２と同様に、積載された段ボール箱において、段ボール箱５０−１の外表面の左側面３０１−４と、段ボール５０−３の右側面３０１−２とが対向配置されているところでも、マット印刷層同志が重ならない配置になっている。  
段ボール箱５０−１は、段ボール基材７１−１、及び段ボール基材７１−１上に設けられたマット印刷層５１−４を含む。段ボール箱５０−３は、同様に、段ボール基材、及び段ボール基材上に設けられたマット印刷層５１−３を含む。  
段ボール箱５０−１の外表面の左側面３０１−４には、マット印刷層５１−４が設けられた第７領域６１−４と、マット印刷層が設けられない第８領域６１ｂ−４が割り当てられている。また、段ボール５０−３の右側面３０１−２には、第７領域６１−４に対向する位置に、マット印刷層が設けられない第５領域６１−３が割り当てられ、第８領域６１ｂ−４に対向する位置に、マット印刷層５１−３が設けられた第６領域６１ｂ−３が割り当てられている。  
このように、第３実施形態にかかる段ボール箱によれば、側面部に隣接するパッケージにおいて、マット印刷層が設けられた領域にはマット印刷層が設けられない領域が対向する構成になっている。これにより、隣接するパッケージにおいて、マット印刷層同志が重ならない配置になり、マット印刷層同志のこすれが低減する。このようなことから、マット印刷層の剥がれ、及びマット印刷層と共に印刷層が剥がれてしまうこと等を低減できる。
【００３１】
図１３に、本発明の第４実施形態にかかる段ボール箱の構成を表す斜視図を示す。また、図１４に、図１３を矢印８３に従ってｆからｅの方向に１８０°回転した図を示す。  
第４実施形態にかかる段ボール箱５０’−１は、段ボール箱９６の代わりに、ダンボール箱７１’−１を用いること以外は、図４または図５と同様の構成を有する。また、パッケージ１０−１、１０−２、１０−３、及び１０−４の代わりに、第１実施形態にかかるパッケージとは異なるパッケージを使用することが可能であり、例えばマット印刷層を含まない他のパッケージを使用することもできる。  
ダンボール箱７１’−１には、図１３及び図１４に示すように、マット印刷層５１−５、５１−６を設けることができる。なお、必要に応じて、図９及び図１０に示すマット印刷層５１−１、５１−２、５１−３、及び５１−４をさらに設けることもできる。
【００３２】
図１３に示すように、マット印刷層５１−５は、各々、第１側面部３０１−４，３０１−２から突出して天面を構成する一対の外蓋部３０１−５，３０１−６のうち、第１側面部３０１−２から突出した外蓋部３０１−６に割り当てられた第４領域６１ｂ−５に設けられている。第１側面部３０１−４から突出した外蓋部３０１−５に割り当てられた第３領域６１−５にはマット印刷層は設けられない。  
図１４に示すように、マット印刷層５１−６は、箱本体７１’−１の外表面の各々、第１側面部３０１−２，３０１−４から突出して底面を構成する外底部３０１−８，３０１−７のうち、第１側面部３０１−４から突出した外底部３０１−７に割り当てられた第１領域６１−６に設けられている。第１側面部３０１−２から突出した外底部３０１−８に割り当てられた第２領域６１ｂ−６にはマット印刷層は設けられない。
【００３３】
図１５に、第４実施形態にかかる段ボール箱を積載した場合に底部及び蓋部に隣接する段ボール箱の外表面を表す模式図を示す。  
図１１と同様に積載された段ボール箱では、段ボール箱５０’−１の外表面の底部３０１−７，３０１−８と、隣接する段ボール箱５０’−７の蓋部３０１−５，３０１−６とが対向配置されており、図１５に示すように、マット印刷層同志が重ならない配置になっている。
【００３４】
段ボール箱５０’−１は、段ボール基材７１−１、及び段ボール基材７１−１上に設けられたマット印刷層５１−６を含む。段ボール箱５０−２は、段ボール基材７１−７、及び段ボール基材７１−７上に設けられたマット印刷層５１−５を含む。  
段ボール箱５０’−１の外表面の一方の底部３０１−７には、マット印刷層５１−６が設けられた第１領域６１−６が割り当てられる。他方の底部３０１−８には、マット印刷層が設けられない第２領域６１ｂ−６が割り当てられる。また、段ボール箱５０’−７の外表面の一方の蓋部３０１−５には、第１領域６１−６に対向する位置に、マット印刷層が設けられない第３領域６１−５が割り当てられる。また、他方の蓋部３０１−６には、マット印刷層が設けられない第２領域６１ｂ−６に対向する位置に、マット印刷層５１−５が設けられた第４領域６１ｂ−５が割り当てられる。
【００３５】
第４実施形態にかかる段ボール箱によれば、側面部に隣接するパッケージにおいて、マット印刷層が設けられた領域にはマット印刷層が設けられない領域が対向する構成になっている。これにより、隣接するパッケージにおいて、マット印刷層同志が重ならない配置になり、マット印刷層同志のこすれが低減する。このようなことから、マット印刷層の剥がれ、及びマット印刷層と共に印刷層が剥がれてしまうこと等を低減できる。
【００３６】
本発明を実施するに当たり、上記の本実施形態は、一例であり、具体的な態様を種々に変更して実施できる。
【符号の説明】
【００３７】
１０−１，１０−２，１０−３，１０−４…パッケージ、
１１−１，１１−２…基材、
１２…印刷層、
１３，１３−１，１３−２，１３−３，１３−４，５１−，５１−２，５１−３，５１−４…マット印刷層、
１３ａ…第１開口部、
１３ｍ…樹脂、
１３ｎ…マット剤、
１４…第２マット印刷層、
２０…パッケージ、
３０…パッケージ、
３３−２…第１領域、
３３ｂ−２…第２領域、
３３−１…第３領域、
３３ｂ−１…第４領域、
９０，９０’５０−１，５０’−１，５０−２，５０’−２、５０−３，５０−４…段ボール箱、
９１，３０１−７，３０１−８…底部、
９２，９３，３０１−４，３０１−２…第１側面部、
９４，９５…第２側面部、
９６…箱本体、
９７，９８，９９，１００，３０１−５，３０１−６…蓋部
１００…吸収性物品、
１０１，１０１−１，１０１−２，１０１−３，１０１−４…第１外表面
２１１−１…第２外表面、
５００−１…包装構造体
【図１】
2020196484.tif 000003
【図２】
2020196484.tif 000004
【図３】
2020196484.tif 000005
【図４】
2020196484.tif 000006
【図５】
2020196484.tif 000007
【図６】
2020196484.tif 000008
【図７】
2020196484.tif 000009
【図８】
2020196484.tif 000010
【図９】
2020196484.tif 000011
【図１０】
2020196484.tif 000012
【図１１】
2020196484.tif 000013
【図１２】
2020196484.tif 000014
【図１３】
2020196484.tif 000015
【図１４】
2020196484.tif 000016
【図１５】
2020196484.tif 000017